(57)【要約】【課題】  全高が低い薄型の動電型スピーカーであって、第１振動板と略直交する方向に振動する第２振動板を備える動電型スピーカーに関し、音声再生能力に優れ、ディスプレイ等の機器に取り付けるのに適する薄型の動電型スピーカーおよびこれを用いるディスプレイ装置を提供する。【解決手段】  動電型スピーカーは、第１振動板および第１ボイスコイルと、第１の軸方向と略直交する第２の軸方向に振動する第２振動板および第２ボイスコイルと、マグネットと、第１ヨークと、第２ヨークと、を含み、第１磁気空隙、および、第２磁気空隙を有する磁気回路と、を備え、磁気回路が、第１ヨークと第２ヨークとの間に第１磁気空隙を形成し、第１ヨークの底部から外周側に延設されて形成される第１延設部と第２ヨークの外周側に延設されて形成される第２延設部との間に第２磁気空隙を形成する。【選択図】  図１
2013021565.tif 000002
【特許請求の範囲】
【請求項１】
第１の軸方向に振動する第１振動板と、該第１振動板に連結する第１ボイスコイルと、該第１の軸方向と略直交する第２の軸方向に振動する第２振動板と、該第２振動板に連結する第２ボイスコイルと、
マグネットと、該マグネットの底面側に連結する第１ヨークと、該マグネットの天面側に連結する第２ヨークと、を含み、該第１ボイスコイルが該第１の軸方向に振動可能に配置される第１磁気空隙、および、該第２ボイスコイルが該第２の軸方向に振動可能に配置される第２磁気空隙を有する磁気回路と、を備え、
該磁気回路が、該第１ヨークの底部から切り起こされて形成される第１側壁部と該第２ヨークの内周端部との間に該第１磁気空隙を形成し、該第１ヨークの該底部から外周側に延設されて形成される第１延設部と該第２ヨークの外周側に延設されて形成される第２延設部との間に該第２磁気空隙を形成する、
動電型スピーカー。
【請求項２】
前記第１ボイスコイルが、その振動方向と一致する第１巻軸に対して丸線もしくは平角線を斜めにずらせてボビンに巻き回して形成される略円筒状のコイルを含み、
前記第２ボイスコイルが、その振動方向と略直交する第２巻軸に対して平角線をずらすことなく多層巻きして形成される平板状のコイルを含み、
該第１ボイスコイルおよび該第２ボイスコイルが、直列接続若しくは並列接続されている、
請求項１に記載の動電型スピーカー。
【請求項３】
前記磁気回路の前記第１磁気空隙および前記第２磁気空隙が、ともに直線状の空隙であり、前記第１ボイスコイルおよび前記第２ボイスコイルが、それぞれ該第１磁気空隙および該第２磁気空隙に配置される直線部を含むトラック形状に形成される、
請求項１または２に記載の動電型スピーカー。
【請求項４】
前記磁気回路の前記第１磁気空隙が、平行に配置される一対の前記直線状の空隙として構成され、前記トラック形状の前記第１ボイスコイルの一対の前記直線部がそれぞれ振動可能に配置される、
請求項３に記載の動電型スピーカー。
【請求項５】
前記磁気回路に連結するフレームと、
前記第１振動板の外周端側および該フレームに連結する第１エッジと、
前記第２振動板の外周端側および該フレームに連結する第２エッジと、
をさらに備える、
請求項１から４のいずれかに記載の動電型スピーカー。
【請求項６】
前記第１ボイスコイルの前記ボビンに連結する内周固定部と、前記フレームに連結する外周固定部と、該内周固定部および該外周固定部との間に形成される支持可動部と、を有する第１ダンパーと、
前記第２ボイスコイルに連結する内周固定部と、該フレームに連結する外周固定部と、該内周固定部および該外周固定部との間に形成される支持可動部と、を有する第２ダンパーと、をさらに備える、
請求項１から５のいずれかに記載の動電型スピーカー。
【請求項７】
請求項１から６のいずれかに記載の前記動電型スピーカーを備えるディスプレイ装置であって、
該ディスプレイ装置の筐体の角部を構成する２面に、それぞれ前記第１振動板と前記第２振動板とが露出するように動電型スピーカーを取り付ける、ディスプレイ装置。
【発明の詳細な説明】
【技術分野】
【０００１】
全高が低い薄型の動電型スピーカーであって、第１振動板と略直交する方向に振動する第２振動板を備える動電型スピーカーに関し、音声再生能力に優れ、ディスプレイ等の機器に取り付けるのに適する動電型スピーカーに関する。
【背景技術】
【０００２】
音声を再生するスピーカーを取り付けるディスプレイ等の音響機器においては、スピーカーを取り付けるのに要する空間を小型化することが要望されている。液晶ディスプレイ等のデザインを重視する場合には、前面視する場合の液晶表示部の周囲の枠部を極力小さくするために、動電型スピーカーの振動板が液晶ディスプレイの背面側から露出するようにして、前面側に露出しないようにして取り付ける場合さえもある。特に、前面側のフレームの前端部分から背面側の磁気回路までの距離である全高を薄くするように薄型化を図る動電型スピーカーでは、スピーカー振動板の形状、あるいは、ボイスコイルの中心支持の構造によって限界がある場合がある。
【０００３】
具体的には、薄型化によりボイスコイルを中心支持するダンパーが磁気回路に近づいても、磁気回路に接触して異音を発生しないように配慮する必要がある。動電型スピーカーでは、振動系が大きく変位する最低共振周波数ｆ０以下の周波数において、ダンパーが磁気回路に衝突して異音を発生し易くなる、という問題がある。したがって、従来には、このような問題を解決するために様々な動電型スピーカーが提案されている。
【０００４】
従来には、内周側に平行な２つの直線部を有する環状のトッププレートと、内周側にアンダープレートから切り起こされた２つの突起部を有するポールと、トッププレートおよびポールのアンダープレートの間に狭持され、同一方向に着磁される２つの棒状のマグネットと、を備え、ポールの２つの突起部がトッププレートの２つの直線部にそれぞれ対向して、２つの棒状のマグネットの間に配置される２つの磁気空隙を形成し、ポールの２つの突起部が、それらの間に貫通孔を形成し、トッププレートとアンダープレートと２つの棒状のマグネットとが、貫通孔に連通する２つの内部空間を形成するスピーカー用磁気回路を備える動電型スピーカーがある（特許文献１）。
【０００５】
また、従来には、直線状の磁気空隙を形成する矩形断面を有する棒状のマグネットと、マグネットと取付部において連結するＵ字状もしくは環状のヨークと、を備えるスピーカー用磁気回路であって、ヨークが、取付部を含まない部分の断面が略矩形状に形成され、取付部を含む部分の断面が略Ｌ字状に形成されて、取付部が、矩形断面を有するマグネットが係合する矩形状の空間を形成する凹状部であるスピーカー用磁気回路を備える動電型スピーカーがある（特許文献２）。
【０００６】
また、従来には、平角線を巻軸に対してずらすことなく多層巻きした平板状の空芯コイルである第１コイルおよび第２コイルを、それぞれの巻軸が一致するようにそれぞれのコイル端面同士を貼り合わせて形成し、かつ、貼り合わされた第１コイルおよび第２コイルが、同一方向に音声信号電流が流れるように直列接続または並列接続して構成するボイスコイルであって、第１コイルおよび第２コイルが貼り合わされて形成される内周端部が規定する内周空間に収容され、かつ、その外周端部が内周端部に係合する補強板を備えるボイスコイルを含む動電型スピーカーがある（特許文献３）。
【先行技術文献】
【特許文献】
【０００７】
【特許文献１】特開２０１０−１０３８９１号公報（図１〜図９）
【特許文献２】特開２０１０−２７２９８８号公報（図１〜図６）
【特許文献３】特開２０１１−１１４８５７号公報（図１〜図７）
【０００８】
しかしながら、上記特許文献１〜３の動電型スピーカーを、振動板が前面側に露出しないようにディスプレイ装置に取り付ける場合には、中高音域の再生レベルが低下しやすいという問題がある。例えば、上記特許文献１〜３の動電型スピーカーを、背面側に振動板が露出するように、つまり、背面側に音放射するようにディスプレイ装置に取り付けると、ディスプレイ装置の薄型化を図ることが出来る一方で、前面側に回り込みにくい中高音域の再生レベルが低くなり、再生音質が低下するという問題がある。
【発明の概要】
【発明が解決しようとする課題】
【０００９】
本発明は、上記の従来技術が有する問題を解決するためになされたものであり、その目的は、全高が低い薄型の動電型スピーカーであって、第１振動板と略直交する方向に振動する第２振動板を備える動電型スピーカーに関し、音声再生能力に優れ、ディスプレイ等の機器に取り付けるのに適する薄型の動電型スピーカーおよびこれを用いるディスプレイ装置を提供することにある。
【課題を解決するための手段】
【００１０】
本発明の動電型スピーカーは、第１の軸方向に振動する第１振動板と、第１振動板に連結する第１ボイスコイルと、第１の軸方向と略直交する第２の軸方向に振動する第２振動板と、第２振動板に連結する第２ボイスコイルと、マグネットと、マグネットの底面側に連結する第１ヨークと、マグネットの天面側に連結する第２ヨークと、を含み、第１ボイスコイルが第１の軸方向に振動可能に配置される第１磁気空隙、および、第２ボイスコイルが第２の軸方向に振動可能に配置される第２磁気空隙を有する磁気回路と、を備え、磁気回路が、第１ヨークの底部から切り起こされて形成される第１側壁部と第２ヨークの内周端部との間に第１磁気空隙を形成し、第１ヨークの底部から外周側に延設されて形成される第１延設部と第２ヨークの外周側に延設されて形成される第２延設部との間に第２磁気空隙を形成する。
【００１１】
また、本発明の動電型スピーカーは、第１ボイスコイルが、その振動方向と一致する第１巻軸に対して丸線もしくは平角線を斜めにずらせてボビンに巻き回して形成される略円筒状のコイルを含み、第２ボイスコイルが、その振動方向と略直交する第２巻軸に対して平角線をずらすことなく多層巻きして形成される平板状のコイルを含み、第１ボイスコイルおよび第２ボイスコイルが、直列接続若しくは並列接続されている。
【００１２】
また、本発明の動電型スピーカーは、磁気回路の第１磁気空隙および第２磁気空隙が、ともに直線状の空隙であり、第１ボイスコイルおよび第２ボイスコイルが、それぞれ第１磁気空隙および第２磁気空隙に配置される直線部を含むトラック形状に形成される。
【００１３】
また、本発明の動電型スピーカーは、磁気回路の第１磁気空隙が、平行に配置される一対の直線状の空隙として構成され、トラック形状の第１ボイスコイルの一対の直線部がそれぞれ振動可能に配置される。
【００１４】
また、本発明の動電型スピーカーは、磁気回路に連結するフレームと、第１振動板の外周端側およびフレームに連結する第１エッジと、第２振動板の外周端側およびフレームに連結する第２エッジと、をさらに備える。
【００１５】
また、本発明の動電型スピーカーは、第１ボイスコイルのボビンに連結する内周固定部と、フレームに連結する外周固定部と、内周固定部および外周固定部との間に形成される支持可動部と、を有する第１ダンパーと、第２ボイスコイルに連結する内周固定部と、フレームに連結する外周固定部と、内周固定部および外周固定部との間に形成される支持可動部と、を有する第２ダンパーと、をさらに備える。
【００１６】
また、本発明のディスプレイ装置は、上記のいずれかの動電型スピーカーを備えるディスプレイ装置であって、ディスプレイ装置の筐体の角部を構成する略直交する２面に、それぞれ第１振動板と第２振動板とが露出するように動電型スピーカーを取り付ける。
【００１７】
以下、本発明の作用について説明する。
【００１８】
本発明の動電型スピーカーは、第１の軸方向に振動する第１振動板と、第１の軸方向と略直交する第２の軸方向に振動する第２振動板と、を有する動電型スピーカーである。なお、第１および第２の軸方向は任意に設定できるが、第１の軸方向は、例えば、動電型スピーカーの全高ないし厚みを規定する方向とすることができ、また、第２の軸方向は、動電型スピーカーを側面視する方向とすることができる。
【００１９】
この動電型スピーカーは、第１振動板に連結する第１ボイスコイルと、第２振動板に連結する第２ボイスコイルと、マグネットと、マグネットの底面側に連結する第１ヨークと、マグネットの天面側に連結する第２ヨークと、を含み、第１ボイスコイルが第１の軸方向に振動可能に配置される第１磁気空隙、および、第２ボイスコイルが第２の軸方向に振動可能に配置される第２磁気空隙を有する磁気回路と、を備える。なお、磁気回路に連結するフレームと、第１振動板の外周端側およびフレームに連結する第１エッジと、第２振動板の外周端側およびフレームに連結する第２エッジと、をさらに備えていればよい。
【００２０】
具体的には、磁気回路は、第１ヨークの底部から切り起こされて形成される第１側壁部と第２ヨークの内周端部との間に第１磁気空隙を形成し、第１ヨークの底部から外周側に延設されて形成される第１延設部と第２ヨークの外周側に延設されて形成される第２延設部との間に第２磁気空隙を形成する。したがって、本発明の動電型スピーカーは、略直交する関係になる第１および第２の軸方向それぞれに音声再生が可能な第１振動板および第２振動板を有するので、ディスプレイ等の機器に取り付けるのに適する薄型の動電型スピーカーを実現できる。
【００２１】
すなわち、スピーカーを取り付けるのに要する空間を小型化することが要望されているディスプレイ装置などでは、同等の体積または表面積のスピーカーに比較して、第１振動板に第２振動板を加えて振動板面積を大きくすることができるので、動電型スピーカーの再生音圧レベルを高めることができる。ディスプレイ装置の筐体の角部を構成する２面に、それぞれ第１振動板と第２振動板とが露出するように、つまり、角部を構成する２面にそれぞれ平行な２つの方向に音放射するようにディスプレイ装置に取り付けると、動電型スピーカーを取り付けることができるので、制約の多い取付条件であっても、音声再生の条件を向上できる。例えば、動電型スピーカーを振動板が前面側に露出しないようにディスプレイ装置に取り付ける場合に、第１振動板がディスプレイ装置の背面側に露出するようにディスプレイ装置に取り付けたとしても、第１振動板に対して略直交する方向に振動可能な第２振動板が、ディスプレイ装置の厚みを規定する面側（背面に対して略直交する上方向、下方向、横方向のいずれかの方向の面側）に露出することになる。したがって、背面側に配置された第１振動板の中高音域の再生レベルの低下を、もう一方の第２振動板によって補うことができ、再生音質を高めることができる。
【００２２】
ここで、第１ボイスコイルが、その振動方向と一致する第１巻軸に対して丸線もしくは平角線を斜めにずらせてボビンに巻き回して形成される略円筒状のコイルを含み、第２ボイスコイルが、その振動方向と略直交する第２巻軸に対して平角線をずらすことなく多層巻きして形成される平板状のコイルを含むようにするのが好ましい。第２ボイスコイルは、第１ボイスコイルと巻軸方向が平行な関係になる平板状のコイルなので、巻軸方向に沿った厚みが極めて薄い平板状のコイルにすることができる。したがって、本発明の動電型スピーカーは、全高を規定する第１の軸方向の寸法が小さい薄い動電型スピーカーであっても、第１の軸方向に略直交する第２の軸方向に振動する第２振動板および第２ボイスコイルを設けることができる。なお、第１ボイスコイルおよび第２ボイスコイルは、直列接続若しくは並列接続されていればよい。
【００２３】
具体的には、磁気回路の第１磁気空隙および第２磁気空隙は、ともに直線状の空隙であり、第１ボイスコイルおよび第２ボイスコイルが、それぞれ第１磁気空隙および第２磁気空隙に配置される直線部を含むトラック形状に形成されるのが好ましい。第１磁気空隙および第２磁気空隙を、ともに全高を規定する第１の軸方向に略直交する直線状の空隙として、これらに対応するトラック形状の第１ボイスコイルおよび第２ボイスコイルを配置することで、動電型スピーカーの全高を高くすることなく磁気空隙中に配置されるコイル長を長くすることができる。また、磁気回路の第１磁気空隙を、平行に配置される一対の直線状の空隙として構成し、トラック形状の第１ボイスコイルの一対の直線部がそれぞれ振動可能に配置されるようにすれば、薄型の動電型スピーカーであっても、第１ボイスコイルに生じる駆動力を十分に高めることができる。
【００２４】
また、本発明の動電型スピーカーは、第１ボイスコイルのボビンに連結する内周固定部と、フレームに連結する外周固定部と、内周固定部および外周固定部との間に形成される支持可動部と、を有する第１ダンパーを、あるいは、第２ボイスコイルに連結する内周固定部と、フレームに連結する外周固定部と、内周固定部および外周固定部との間に形成される支持可動部と、を有する第２ダンパーを、さらに備えていてもよい。第１ダンパーならびに第２ダンパーは、それぞれ第１磁気空隙に対する第１ボイスコイルの中心保持と、第２磁気空隙に対する第２ボイスコイルの中心保持と、を行なうので、ボイスコイルおよび振動板を含む振動系と磁気回路とが衝突する際に発生する異音を抑え、音声再生能力に優れる薄型の動電型スピーカーを実現できる。
【発明の効果】
【００２５】
全高が低い薄型の動電型スピーカーに関し、音声再生能力に優れ、ディスプレイ等の機器に取り付けるのに適する薄型の動電型スピーカーおよびこれを用いるディスプレイ装置を提供することができる。
【図面の簡単な説明】
【００２６】
【図１】本発明の好ましい実施形態による動電型スピーカー１を説明する図である。（実施例１）
【図２】本発明の好ましい実施形態による動電型スピーカー１を説明する斜視図である。（実施例１）
【図３】本発明の好ましい実施形態による動電型スピーカー１の構成を説明する展開図である。（実施例１）
【図４】本発明の好ましい実施形態による動電型スピーカー１を説明する断面図である。（実施例１）
【図５】本発明の好ましい実施形態による動電型スピーカー１を構成する磁気回路１０を説明する斜視図である。（実施例１）
【図６】本発明の好ましい実施形態による動電型スピーカー１を備えるディスプレイ装置２０を説明する背面図である。（実施例２）
【図７】本発明の好ましい実施形態による動電型スピーカー１を備えるディスプレイ装置２０を説明する断面図である。（実施例２）
【図８】本発明の好ましい実施形態による動電型スピーカー１を備えるディスプレイ装置２０を説明する斜視図である。（実施例２）
【発明を実施するための形態】
【００２７】
以下、本発明の好ましい実施形態による動電型スピーカーについて説明するが、本発明はこれらの実施形態には限定されない。
【実施例１】
【００２８】
図１〜図５は、本発明の好ましい実施形態による動電型スピーカー１を説明する図である。図１（ａ）は、動電型スピーカー１を図示するＺ軸側から見た平面図であり、図１（ｂ）は、Ｘ軸側から見た側面図であり、図１（ｃ）は、Ｙ軸側から見た側面図である。また、図２は、動電型スピーカー１の斜視図であり、図３は、動電型スピーカー１の構成を説明する展開図である。また、図４は、動電型スピーカー１の断面図であり、図５は、動電型スピーカー１を構成する磁気回路１０を説明する斜視図である。なお、後述するように、動電型スピーカー１の一部の構造や、内部構造等は、省略している。また、Ｚ軸が延びる方向が全高ないし厚みを規定する高さ方向であり、Ｙ軸（長軸）が延びる方向が長径方向であり、また、Ｘ軸（短軸）が延びる方向が短径方向である。
【００２９】
本実施例の動電型スピーカー１は、長径方向長が約１５０．０ｍｍ、短径方向長が約５２．５ｍｍ、全高が１１．０ｍｍであり、細長形で薄型の動電型スピーカーである。動電型スピーカー１は、Ｚ軸方向に振動する第１振動板２ａと、Ｚ軸方向と直交するＸ軸方向に振動する第２振動板２ｂと、を有する。動電型スピーカー１では、第１振動板２ａおよび第２振動板２ｂが互いに独立した振動板であるものの、フレーム６およびこれに連結する磁気回路１０は、共通する構成になっている。フレーム６は、トラック形のそれぞれの振動板２ａおよび２ｂに対応した細長形状であり、フレーム６に収容されるように固定される磁気回路１０も、短径方向の幅が狭い細長形状を有している。したがって、動電型スピーカー１は、ディスプレイ等の機器が有する表示部の側面ないし縁部など、スピーカーを取り付ける幅が少ない機器に適するスピーカーである。フレーム６の背面側には、音声信号電流が供給される（図示しない）ターミナル７が取り付けられ、磁気回路１０の一部が露出している。
【００３０】
第１振動板２ａは、第１エッジ３ａによってその外周端を支持されており、第１エッジ３ａの外周端は、フレーム６の第１フレーム部６ａに固定されている。一方、第２振動板２ｂは、第２エッジ３ｂによってその外周端を支持されており、第２エッジ３ｂの外周端は、フレーム６の第２フレーム部６ｂに固定されている。第１振動板２ａの背面側には、第１ボイスコイル４ａが連結しており、第１ダンパー５ａにより振動可能に支持されている。また、第２振動板２ｂの背面側には、第２ボイスコイル４ｂが連結しており、第２ダンパー５ｂにより振動可能に支持されている。
【００３１】
動電型スピーカー１の第１振動板２ａは、スピーカー振動板の軽量化を図るために発泡させた熱可塑性樹脂を形成して構成されている。本実施例の場合には、押出成形された熱可塑性樹脂発泡シート（具体的には、ポリスチレンペーパー）を、プラグアシスト成形を併用した真空成形法を用いることで、凹凸を有する第１振動板２ａを得ている。すなわち、長径方向長と短径方向長が著しく異なる細長形の第１振動板２ａは、長径方向の分割振動の影響が顕著になりやすいので、短径方向断面形状が一部で略Ｕ字形を含む形状になるようにして、長径方向に剛性を有する形状とされている。第１振動板２ａは、その外周端に第１エッジ３ａの内周側が接着されており、また、中央背面にはボイスコイル４を構成するボビンが接着される。なお、第１振動板２ａは、紙繊維を抄紙して成形した紙材を基材とする基体を含んで構成されるものでもよい。
【００３２】
動電型スピーカー１の第２振動板２ｂは、スピーカー振動板の軽量化を図るために紙繊維を抄紙して成形した紙材を基材とする基体を含んで構成されている。本実施例の場合には、第２振動板２ｂは、第１振動板２ａよりも振動板面積が小さく、剛性が高い略コーン形状の振動板であって、本実施例の場合には、具体的には、紙繊維を抄紙して成形した紙材を基材とする基体が成形されたスピーカー振動板である。第２振動板２ｂは、略コーン形状の第１振動板２ａと同様に、長径方向の分割振動の影響が顕著になりやすいので、短径方向断面形状が略Ｕ字形を含むコーン形状になるようにして、長径方向に剛性を有する形状とされている。第２振動板２ｂは、断面がコーン形状になる振動板面に、前面側に凸状の稜線部を規定し、かつ、稜線部の背面側の一部にボイスコイルが係合する係合凹部を規定するリブと、を有していてもよい。つまり、このリブは、第２振動板２ｂの長軸方向に形成されるリブであって、中央背面側に第２ボイスコイルが係合する係合凹部を形成するとともに、前面側に凸状の稜線部を規定するリブであればよい。また、第２振動板２ｂは、その外周端に第２エッジ３ｂの内周側が接着されている。
【００３３】
第１エッジ３ａおよび第２エッジ３ｂは、本実施例では、柔軟性を有する発泡ゴムを金型内に注入して加熱発泡して形成したものである。第１エッジ３ａは、第１振動板２ａの長径方向に直線状に延びるトラック形の長辺では、第１振動板２ａを自由支持するように薄肉のコルゲーション（またはロール）によるフリーエッジが形成され、短径方向に円弧状になるトラック形の短辺では、第１振動板２ａを固定支持するように厚肉で自由に振動しないフィックスドエッジが形成される。その結果、細長形の第１振動板２ａは、短径方向ではエッジ３のフリーエッジ部のコンプライアンスで柔軟に支持される一方で、長径方向では第１振動板２ａを形成する熱可塑性樹脂の発泡シートの柔軟性によって、曲げ振動可能にされている。一方、第２エッジ３ｂは、トラック形の全周に渡って第２振動板２ｂを自由支持するように薄肉のコルゲーション（またはロール）によるフリーエッジを形成する。なお、第１エッジ３ａおよび第２エッジ３ｂは、発泡していないニトリルゴム（ＮＢＲ）、等の弾性体で構成してもよい。
【００３４】
第１ボイスコイル４ａは、トラック形に形成したボビンと、その一端側に巻回されて音声電流が供給されるトラック形のコイルと、から形成される。本実施例の場合には、第１ボイスコイル４ａは、長径方向長が約３３．０ｍｍで、短径方向長が約１４．５ｍｍのトラック形である。ボビンは、コイルが巻回されない他端側が第１振動板２ａの背面中央に接着剤により連結される。コイルは、その振動方向であるＺ軸方向と一致する第１巻軸に対して丸線もしくは平角線を斜めにずらせてボビンに巻き回して形成される略円筒状のコイルである。第１ボイスコイル４ａのトラック形のボビンおよびコイルは、長径方向に沿った２つの直線部を含むので、コイルの２つの直線部は、それぞれ後述する磁気回路１０の磁気空隙１３ａおよび１３ｂに配置される。
【００３５】
第２ボイスコイル４ｂは、後述する磁気回路１０に対応して、第２振動板２ｂが振動するＸ軸方向に対して、ほぼ直交するＺ方向に巻軸方向を有する平板状のコイルであって、長径方向長が約３６．０ｍｍで、短径方向長が約８．０ｍｍのトラック形で、厚み４ｔが約０．５ｍｍのコイルである。具体的には、第２ボイスコイル４ｂは、平板状に形成した２つの空芯のコイル４１および４２と、後述する補強板４３とを含む。コイル４１および４２は、それぞれ、太さ寸法が０．１１ｍｍ×０．２２ｍｍの銅クラッドアルミ平角線を巻軸に対してずらすことなく多層巻きにして、厚み（４１ｔないし４２ｔ）が平角線の太さ寸法約０．２２ｍｍにほぼ等しく、巻層厚寸法が約０．５ｍｍである平板状に形成した空芯のコイルである。本実施例の第２ボイスコイル４ｂを構成するコイル４１および４２は、それぞれ巻数がほぼ等しいコイルである。第２ボイスコイル４ｂは、接着剤（若しくはワニス）でコイル４１および４２の巻軸が一致するようにそれぞれのコイル端面同士を貼り合わせて形成し、かつ、貼り合わされたコイル４１および４２が、同一方向に音声信号電流が流れるように直列接続して構成するボイスコイルである。コイル４１および４２は、平角線を巻軸に対してずらすことなく多層巻きしているので、それぞれ単独では反って変形し易いという問題を有するものの、それぞれのコイル端面同士を貼り合わせると、変形を防止してフラットな平板状を保つことができる。
【００３６】
コイル４１および４２が貼り合わされるトラック形状の第２ボイスコイル４ｂでは、一方の直線部と、他方の直線部と、一方の円弧部と、他方の円弧部と、が形成されて、トラック形状の内周端部の内周側には、トラック形状の孔である内周空間が形成される。したがって、コイル４では、この内周空間に収容される補強板４３の外周端部が、トラック形状の内周端部に係合する。補強板４３は、その外周端部が第２ボイスコイル４ｂのトラック形状の内周端部に係合し、接着剤で接着されている。つまり、補強板４３の外周端部は、コイル４１および４２の最も内周側の巻線の内周面に係合する。本実施例の補強板４３は、その厚み４３ｔが約０．１４ｍｍのアルミ板であり、長径方向長が約３１．５ｍｍで、短径方向長が約３．５ｍｍのトラック形である。補強板４３の厚み４３ｔは、コイル４１および４２を貼り合わせた厚みで規定されるボイスコイル厚み寸法４ｔよりも小さくされるので、補強板４３は、第２ボイスコイル４ｂの内周空間から突出しない。補強板４３は、第２ボイスコイル４ｂの剛性を高めるので、平板状の第２ボイスコイル４ｂが反るような変形を抑制する。なお、補強板４３は、銅、ジュラルミン、あるいは、アルミ合金等の非磁性の金属から構成されていればよいが、ＡＢＳ、ＰＩ、ＰＥＴなどの樹脂で形成されていてもよい。また、補強板４３の形状は、本実施例のような平板状に限らない。
【００３７】
なお、（図示しない）錦糸線は、フレーム６に固定される（図示しない）ターミナル７と、ターミナル７から第１ボイスコイル４ａまたは第２ボイスコイル４ｂのそれぞれのコイルの引出線とを、ハンダづけして導通させて、コイルに音声電流を供給する。ただし、錦糸線は、第１振動板２ａに金属ハトメを設けてターミナル７まで導通させるようにしてもよい。本実施例では、第１ボイスコイル４ａおよび第２ボイスコイル４ｂが、直列接続されているが、並列接続されていてもよい。
【００３８】
第１ダンパー５ａは、柔軟性を有する繊維の織布を基材としてフェノール樹脂を含浸して成形する細長形状のコルゲーションダンパーを切断して、全体の形状を形成したものである。具体的には、第１ダンパー５ａは、ボビンのコイルが巻回される端側に連結する２つの内側固定部と、磁気回路１０のトッププレート１１に固定される外側固定部と、内側固定部と外側固定部とを連結する２つの可動部と、２つの内側固定部を連結する内側平坦部と、を備える。長径方向に位置するダンパーの２つの可動部は、略扇形の形状であってコルゲーションを有し、後述するように、磁気回路１０の内部空間１６ａおよび１６ｂにそれぞれ配置される。また、ダンパーの内側平坦部は、細長の短冊形状の平面部分であって、２つの内側固定部を、長径方向に沿って磁気回路１０の貫通孔１４を横切って連結する。
【００３９】
第２ダンパー５ｂは、薄板状の樹脂板に切欠部分（スリット部分）を設けて、第２ボイスコイル４ｂに連結する内側固定部と、フレーム６の第２フレーム部６ｂに連結する外側固定部と、内側固定部と外側固定部とを連結するアーム状の可動部と、を備えるようにしたダンパーである。具体的には、第２ダンパー５ｂは、厚さが約０．２ｍｍのＰＣ樹脂板をプレス加工して形成する部材であり、内側固定部には、第２ボイスコイル４ｂの円弧部と、第２ボイスコイル４ｂの補強板４３とが差し込まれて固定されるスリットを有する。第２ダンパー５ｂは、第２ボイスコイル４ｂまたはフレーム６と、接着剤により連結される。なお、第２ダンパー５ｂは、樹脂を射出成形して形成するダンパーであっても良く、また、柔軟性を有する繊維の織布を基材としてフェノール樹脂を含浸して成形するものであってもよい。
【００４０】
フレーム６は、それぞれの振動板形状に対応して細長形のバスケット状にプレス成型された第１フレーム部６ａおよび第２フレーム部６ｂを含む鉄板フレームである。フレーム６は、さらに磁気回路１０を固定する固定部と、これらの固定部を連結する連結部と、複数の連結部の間に規定される窓と、(図示しない)ターミナル７を取り付ける取付孔と、を備える。第１フレーム部６ａおよび第２フレーム部６ｂは、第１エッジ３ａまたは第２エッジ３ｂを固定する略矩形の固定部と、後述するディスプレイ装置への取付部と、をそれぞれ含む。したがって、第１振動板２ａ、第１エッジ３ａ、第１ボイスコイル４ａ、および、第１ダンパー５ａからなるスピーカー振動系は、第１フレーム部６ａおよび磁気回路１０に対してＺ軸方向に振動可能に支持される。また、第２振動板２ｂ、第２エッジ３ｂ、第２ボイスコイル４ｂ、および、第２ダンパー５ｂからなるスピーカー振動系は、第２フレーム部６ｂおよび磁気回路１０に対してＸ軸方向に振動可能に支持される。したがって、後述するように、この動電型スピーカー１は、ディスプレイ装置の筐体の角部を構成する２面に、それぞれ第１振動板と第２振動板とが露出するように取り付けることができる。
【００４１】
磁気回路１０は、細長形のトッププレート１１と、細長形のポール１２と、同一方向に着磁された２つの棒状のマグネット１５ａおよび１５ｂと、から構成される。磁気回路１０は、第１ボイスコイル４ａがＺ軸方向に振動可能に配置される第１磁気空隙１３ａならびに１３ｂ、および、第２ボイスコイル４ｂがＸ軸方向に振動可能に配置される第２磁気空隙１３ｃを有する。磁気回路１０を構成する各部材は、接着剤で固定される。また、磁気回路１０も、フレーム６の固定部に接着剤で固定される。磁気回路１０は、全高が約６．８ｍｍの薄型の磁気回路であって、ほぼその全体がフレーム６の内側に収容されるので、動電型スピーカー１を薄型化することができる。
【００４２】
トッププレート１１は、厚さ１．６ｍｍの軟鉄の鋼材を、内周側に平行な２つの直線部１１ａおよび１１ｂを有する環状に形成し、さらに、Ｘ軸方向の一方の外周側に延設されて形成される延設部１１ｃを有するように形成する部材である。２つの直線部１１ａおよび１１ｂは、長径方向に沿って設けられており、それぞれ２４．０ｍｍの長さであって、後述する磁気空隙１３ａおよび１３ｂを形成する。つまり、トッププレート１１の内周側は、矩形環状の内周側から長径方向に沿った長い２つの直線部１１ａおよび１１ｂが、台形状にせり出したような形状を有しており、２つの直線部１１ａおよび１１ｂ以外の環状の内周側は、ボイスコイル４に対して駆動力を発生する磁気空隙として作用しない。また、トッププレート１１の外周側には、後述する磁気空隙１３ｃを形成する延設部１１ｃが延設されている。
【００４３】
また、ポール１２は、内周側にアンダープレートから切り起こされた２つの突起部１２ａおよび１２ｂと、外周側にトッププレート１１の延設部１１ｃに対応する延設部１２ｃを有する部材である。具体的には、アンダープレートを構成する厚さ１．６ｍｍの軟鉄の鋼材の内周側に略Ｈ字形状の孔を設け、これらを内周側から切り起こして、２つの突起部１２ａおよび１２ｂを有するように形成し、さらに、外周側に後述する磁気空隙１３ｃを形成する延設部１２ｃが延設されている部材である。ポール１２では、２つの突起部１２ａおよび１２ｂが、トッププレートの２つの直線部にそれぞれ対向するように、略Ｈ字形状の孔を構成する横棒部分の直線形状の孔が、長径方向に沿った方向に配置される。上記のポール１２は、抜き曲げ起こしという一つの工程で実施してもよい。
【００４４】
２つの棒状のマグネット１５ａおよび１５ｂは、それぞれ長径方向長５０．０ｍｍ、短径方向長６．０ｍｍ、厚さ３．０ｍｍの希土類磁石であり、フェライト系磁石であってもよい。なお、希土類磁石とは、Ｎｄ−Ｆｅ−Ｂ系のネオジウム磁石、もしくは、Ｓｍ−Ｃｏ系のサマリウムコバルト磁石であって、磁石の最大エネルギー積（ＢＨ）ｍａｘが大きな値をとる磁石であり、残留磁化および保磁力がさらに大きく、小さい体積でも保磁力の強いＮｄ−Ｆｅ−Ｂ系の希土類磁石であってもよい。
【００４５】
したがって、磁気回路１０では、ポール１２の２つの突起部１２ａおよび１２ｂが、トッププレート１１の２つの直線部１１ａおよび１１ｂにそれぞれ対向して、２つの棒状のマグネット１５ａおよび１５ｂの間に配置される２つの磁気空隙１３ａおよび１３ｂを形成する。第１ボイスコイル４ａをＺ軸方向に振動可能にする２つの磁気空隙１３ａおよび１３ｂは、長径方向であるＹ軸方向に沿って設けられ、また、ポール１２の２つの突起部１２ａおよび１２ｂが、それらの間に略矩形状の貫通孔１４を形成する。そして、トッププレート１１とポール１２のアンダープレートと２つの棒状のマグネット１５ａおよび１５ｂとが、貫通孔１４に連通する２つの内部空間１６ａおよび１６ｂを形成する。細長形の本実施例の磁気回路１０では、２つの内部空間１６ａおよび１６ｂは、長径方向に沿って貫通孔１４を間に挟んで配置されている。
【００４６】
さらに、磁気回路１０は、ポール１２の底部から外周側に延設されて形成される延設部１２ｃとトッププレート１１の外周側に延設されて形成される延設部１１ｃとの間に第２磁気空隙１３ｃを形成する。第２ボイスコイル４ｂをＸ軸方向に振動可能にする磁気空隙１３ｃは、長径方向であるＹ軸方向に沿って設けられる。なお、本実施例では、第２磁気空隙１３ｃは、Ｘ軸方向に延設される延設部１１ｃおよび１２ｃにより形成されているが、Ｚ軸方向に略直交する方向と言える範囲内であれば、延設部１１ｃおよび１２ｃをわずかに所定の方向に曲げて、磁気空隙１３ａおよび１３ｂに対して、必ずしも直交する関係にならなくても良い。
【００４７】
図４は、本実施例の動電型スピーカー１の磁気回路１０付近の構成を説明する短径方向に沿ったＡ−Ｏ−Ａ’断面の拡大図である。動電型スピーカー１では、第１ボイスコイル４ａのコイルに音声電流が供給されると、磁気空隙１３ａおよび１３ｂに配置された第１ボイスコイル４ａの直線部分には駆動力が作用し、第１ボイスコイル４ａはＺ軸方向に振動し、連結された第１振動板２ａもＺ軸方向に振動する。第１振動板２ａは、短径方向ではその外周端を支持する第１エッジ３ａのフリーエッジ部が柔軟に支持する。その一方で、長径方向では第１振動板２ａを形成する熱可塑性樹脂発泡シートの柔軟性によって曲げ振動可能になり、最低共振周波数ｆ０付近若しくはそれ以下の周波数で第１ボイスコイル４ａが大きく変位する場合には、長径方向の両端を固定された第１振動板２ａは、長径方向に弓状に曲がって変形する。
【００４８】
トラック形の第１ボイスコイル４ａを振動可能に支持する第１ダンパー５ａは、磁気回路１０を構成する環状のトッププレート１１の平面上にその外側固定部が固定される。第１ダンパー５ａの第１ボイスコイル４ａと連結する２つの内側固定部は、トラック形状の短径側に対応する円弧状の凹部であって、ボビンのコイルが巻回されている側の端部が載置されるように固定される部分である。したがって、第１ダンパー５ａでは、第１ボイスコイル４ａの内周側に、長径方向に配置された２つの内側固定部を連結する内側平坦部を、一体に形成することができる。第１ダンパー５ａの内側平坦部は、２つの内側固定部を、長径方向に沿って磁気回路１０の貫通孔１４を横切って連結し、トラック形のボビンを補強する。つまり、本実施例の動電型スピーカー１では、磁気回路１０が貫通孔１４を有しているので、ダンパー５の内側平坦部によって、ボビンの内周側を長径方向に沿って連結することができ、第１ボイスコイル４ａを安定して振動可能に支持することができる。
【００４９】
一方で、動電型スピーカー１では、第２ボイスコイル４ｂに音声電流が供給されると、磁気空隙１３ｃに配置された第２ボイスコイル４ｂの直線部分には駆動力が作用し、第２ボイスコイル４ｂはＸ軸方向に振動し、連結された第２振動板２ｂもＸ軸方向に振動する。第２振動板２ｂは、その外周端を支持する第２エッジ３ｂが柔軟に支持する。また、トラック形の第２ボイスコイル４ｂを振動可能に支持する第２ダンパー５ｂは、第２フレーム部６ｂにその外側固定部が固定される。したがって、最低共振周波数ｆ０付近若しくはそれ以下の周波数では、第２振動板２ｂに連結する第２ボイスコイル４ｂがＸ軸方向に大きく変位する。
【００５０】
本実施例の動電型スピーカー１では、第２ボイスコイル４ｂは、磁気回路１０の直線状の磁気空隙１３ｃにトラック形状の一方の直線部が配置されて、他方の直線部が第２振動板２ｂの中央部の係合凹部に連結する。また、第２ボイスコイル４ｂの円弧部および補強板４３には、第２ダンパー５ｂの内側固定部のスリットが連結する。本実施例では、第２ボイスコイル４ｂを構成する貼り合わせられた２つのコイル４１および４２は、貼り合わされた部分（例えば、コイル４１の一方の直線部およびコイル４２の一方の直線部。）に相互に同じ方向に音声信号電流が流れるように直列接続される。もちろん、コイル４１および４２は、並列接続であってもよい。また、第２ボイスコイル４ｂに接続する（図示しない）錦糸線は、フレーム６に固定される（図示しない）ターミナルと、ターミナルから第２ボイスコイル４ｂの引出線とを、ハンダづけして導通させて、第２ボイスコイル４ｂに音声電流を供給する。ただし、錦糸線は、第２振動板２ｂに金属ハトメを設けてターミナルまで導通させるようにしてもよい。
【００５１】
動電型スピーカー１で第２ボイスコイル４ｂに音声信号電流が供給されると、磁気回路１０の直線状の磁気空隙１３ｃに配置される第２ボイスコイル４ｂの一方の直線部にＸ軸方向の駆動力が作用する。この第２ボイスコイル４ｂは、一方の直線部と他方の直線部との間に係合する上記の（図示しない）補強板４３を備えることで、コイル４１および４２を補強して剛性を高められている。補強板４３は、樹脂又は非磁性金属から形成されて、内周空間に収容される最小の体積で実現できるので軽量化が可能であり、また、第２ボイスコイル４ｂの厚み寸法４ｔに適した直線状の磁気空隙寸法よりも広くする必要が無くて高い磁束密度を保つことができる。本実施例の補強板４３は、加工が容易なトラック形状の平板であるが、貫通孔ないし肉盗みを設けて軽量化を図ってもよい。したがって、音声再生能率を高めて、音声再生能力に優れる動電型スピーカー１にすることができる。第２ボイスコイル４ｂの磁気回路１０の磁気空隙１３ｃに配置される部分（第２ボイスコイル４ｂの一方の直線部）に作用する駆動力が、第２ボイスコイル４ｂの他方の直線部に連結する第２振動板２ｂに十分伝達される。その結果、この第２ボイスコイル４ｂを用いる動電型スピーカー１は、高域限界周波数を高くして広い音声再生帯域を確保することができる。
【００５２】
上記のように、第１振動板２ａは、第２振動板２ｂよりも振動板面積が大きいスピーカー振動板である。大きな振動板である第１振動板２１は、中低音域再生に優れ、補強板４３を含む第２ボイスコイル４ｂが連結する第２振動板２２は、第２ボイスコイル４ｂに発生する駆動力が直接伝わるので、高音域再生に優れるスピーカー振動系を構成することができる。したがって、第１振動板２ａならびに第２振動板２ｂを備える動電型スピーカー１は、同等の体積または表面積の他のスピーカーに比較して、振動板面積を実質的に約２３％増大することができ、動電型スピーカー１の再生音圧レベルを高めることができる。本実施例の場合には、Ｘ軸方向に振動する第２振動板２ｂの方が、第１振動板２ａよりも面積の小さなスピーカー振動板であり、高音域再生に適する。Ｚ軸方向に振動する第１振動板２ａの放射指向特性は、略直交する方向であるＸ軸方向では、高音域の音圧レベルが低下するので、第２振動板２ｂがこの帯域を担うことで、動電型スピーカー１の指向特性を改善することができる。
【００５３】
動電型スピーカー１の磁気回路１０は、第１ボイスコイル４ａのトラック形のコイルをＺ軸方向から平面視した場合に投影する領域の外部に棒状のマグネット１５ａおよび１５ｂが配置される外磁型磁気回路であり、かつ、これらのマグネット１５ａおよび１５ｂが、トッププレート１１またはポール１２に連結するそれぞれの平面が異なる磁極性を有するように着磁されるので、直線状の磁気空隙１３ａ、１３ｂ、ならびに、１３ｃに高い磁束密度の磁界を発生させる。保磁力の強い棒状のマグネット１５ａおよび１５ｂが長径方向に延びるように配置されるので、本発明の動電型スピーカー１のような細長形のスピーカーに適する。磁気回路１０の最大幅を小さく、ならびに、その全高を低くすることができれば、細長形の第１振動板２ａをＺ軸方向から見た場合に形成される領域内に磁気回路１０が収まり、また、第２振動板２ｂをＸ軸方向から見た場合に形成される領域内に磁気回路１０が収まるからである。磁気回路１０では、長径方向であるＹ軸方向に沿った直線部１１ａおよび１１ｂ、ならびに、１１ｃを含む磁気空隙１３ａおよび１３ｂ、ならびに、１３ｃの長さは、棒状のマグネット１５ａおよび１５ｂよりも短くなる。したがって、磁気空隙１３ａおよび１３ｂ、ならびに、１３ｃに磁束が集中して、薄型の磁気回路１０であっても高い磁束密度分布を得ることができる。したがって、軽量な第１振動板２ａおよび第２振動板２ｂを採用することを含めて、能率の高い動電型スピーカー１が実現される。
【００５４】
加えて、動電型スピーカー１では、磁気回路１０に対応して、第１ダンパー５ａの２つの可動部が、磁気回路１０の内部空間１６ａおよび１６ｂにそれぞれ配置される。長径方向に位置する第１ダンパー５ａの２つの可動部は、略扇形の形状であってコルゲーションを有し、磁気空隙として利用しない内部空間１６ａおよび１６ｂにそれぞれ配置される部分である。第１ダンパー５ａの２つの可動部は、それぞれ磁気回路１０に干渉しないように第１ボイスコイル４ａを振動可能に支持することができる。したがって、動電型スピーカー１では、動電型スピーカーの磁気回路１０の全高を、フレーム６にほぼ全体が収容されるほど低くして、薄型化を図ることができる。振動系の動作が不安定になりやすい細長形の動電型スピーカーであっても、本実施例の動電型スピーカー１は、ボイスコイルが磁気回路の磁気空隙に接触して異音を生じ、動作不良という問題を抑制することができる。
【実施例２】
【００５５】
図６、図７、および、図８は、上記実施例の動電型スピーカー１を備えるディスプレイ装置２０を説明する図である。具体的には、図６は、ディスプレイ装置２０の背面図であり、図７は、ディスプレイ装置２０の動電型スピーカー１を取り付けた部分のＢ−Ｏ−Ｂ’断面側面図であり、図８は、ディスプレイ装置２０を正面斜め下方から見た場合の斜視図である。
【００５６】
例えば、ディスプレイ装置２０は、筐体２１の背面側(図示する矢印Ｂ方向)の左右２箇所に、第１振動板２ａが露出するように動電型スピーカー１を取り付けたディスプレイ装置２０であって、薄型の矩形平面状の筐体２１をスタンド２２によって床等の載置面から浮かすようにして、動電型スピーカー１からの放射音がディスプレイ装置２０の前面側(図示する矢印Ｆ方向)にも到達するようにしている。ディスプレイ装置２０の筐体２１の正面側には、映像を映写するディスプレイ部２４が設けられて、その周囲には枠部２３が規定されている。それぞれステレオ左右信号に対応する左右の動電型スピーカー１には、筐体２１に内蔵された（図示しない）増幅器からそれぞれステレオ左右信号を電力増幅した音声信号電流が供給される。もちろん、ディスプレイ装置２０の構成は、スタンド２２の形状を含めて、図示されたものに限定されるものではない。
【００５７】
本実施例のディスプレイ装置２０では、前面側(図示する矢印Ｆ方向)から前面視する場合に、動電型スピーカー１が露出しないようにその筐体２１の枠部２３の下側角部に動電型スピーカー１を取り付けている。上記実施例の動電型スピーカー１は、筐体２１の下側角部を構成する２面（背面および底面）に、それぞれ第１振動板２ａと第２振動板２ｂとが露出するように取り付けることができる。つまり、動電型スピーカー１は、角部を構成する背面および底面の２つの方向に音放射するようにディスプレイ装置に取り付けることができる。したがって、デザイン上の理由で動電型スピーカー１を前面視できないようにしたい場合、あるいは、前面視する場合の枠部２３を小さくしたい場合、などの制約が多い取付条件であっても、動電型スピーカー１の音声再生の条件を向上できる。
【００５８】
例えば、本実施例のように、動電型スピーカー１を振動板が前面側に露出しないようにディスプレイ装置２０に取り付ける場合に、第１振動板２ａがディスプレイ装置２０の背面側に露出するように筐体２１に取り付けたとしても、第１振動板２ａに対して略直交する方向である下面方向(図示する矢印Ｄ方向)に振動可能な第２振動板２ａが露出することになる。したがって、動電型スピーカー１は、背面側に配置された第１振動板２ａの中高音域の再生レベルの低下を、もう一方の第２振動板２ｂによって防止することができ、再生音質を高めることができる。上述の通り、第２振動板２ｂは高音域再生に適する振動板であり、かつ、筐体２１の下側面に取り付けられていることで、音波の回折により正面側に回り込みやすいからである。
【００５９】
本実施例では、筐体２１の下側角部を構成する２面（背面および底面）に、それぞれ第１振動板２ａと第２振動板とが露出するように薄型の動電型スピーカー１を取り付けているが、ディスプレイ装置２０に取り付ける動電型スピーカー１は、ディスプレイ装置２０の筐体２１の角部を構成するいずれか２面に、それぞれ第１振動板２ａと第２振動板２ｂとが露出するように取り付けるものであればよい。例えば、動電型スピーカー１の第１振動板２ａが筐体２１の背面側に配置されるとしても、第２振動板２ｂが側面側（もしくは、天面側）に配置されるようにしてもよい。あるいは、ディスプレイ装置２０の筐体２１の厚みがある程度大きい場合には、動電型スピーカー１の第１振動板２ａが筐体２１の側面側（もしくは、天面側、底面側）に配置されるようにして、第２振動板２ｂが前面側に配置されるようにしてもよい。
【００６０】
なお、上記実施例では、Ｚ軸方向に振動する第１振動板２ａを含む薄型の動電型スピーカー１であっても、略直交するＸ軸方向に振動可能な第２振動板２ｂをさらに備えるように構成されているが、本発明は上記実施例に限定されない。例えば、磁気回路１０がＸ軸方向あるいはＹ方向にさらに磁気空隙を形成して、Ｘ軸方向あるいはＹ方向に振動可能な振動系を形成して、Ｘ軸方向あるいはＹ方向に音放射可能な振動板をさらに備えてもよい。異なる方向に放射する複数の振動板を備え、また、振動板面積を増大させることで、能率が高く、指向特性に優れる動電型スピーカー１が実現される。
【００６１】
また、上記実施例では、Ｚ軸方向に振動する第１振動板２ａに連結する第１ボイスコイル４ａをトラック形状のボイスコイルとし、Ｘ軸方向に振動する第２振動板２ｂに連結する第２ボイスコイル４ｂをＺ方向に巻軸方向を有する平板状のトラック形状のコイルとしているが、本発明は上記実施例に限定されない。第１ボイスコイル４ａは断面が丸形状のボイスコイルでもよく、また、第２ボイスコイル４ｂはＸ方向に巻軸方向を有する直線部を含むトラック形状のボイスコイルでもよい。第２ボイスコイル４ｂのＺ方向の厚みを小さくできれば、Ｘ軸方向に振動する第２振動板２ｂを有する薄型の動電型スピーカー１を実現できる。また、第２ボイスコイル４ｂは、上記実施例のように必ずしも補強板４３を含まなくてもよい。
【産業上の利用可能性】
【００６２】
本発明の動電型スピーカーは、ディスプレイ等の映像・音響機器に内蔵するスピーカーとしてのみならず、音声を再生するスピーカーを内蔵するキャビネットを有するゲーム機、スロットマシン等の遊戯機にも適用が可能である。また、本発明のスピーカー用磁気回路を備える動電型スピーカーは、全幅が狭く、小型・薄型のキャビネットで音声を再生するスピーカーシステムが実現できるので、設置空間が限定される車両用のスピーカーに特に適する。
【符号の説明】
【００６３】
１                動電型スピーカー
２ａ、２ｂ        第１振動板、第２振動板
３ａ、３ｂ        第１エッジ、第２エッジ
４ａ、４ｂ        第１ボイスコイル、第２ボイスコイル
５ａ、５ｂ        第１ダンパー、第２ダンパー
６                フレーム
１０              磁気回路
１１              トッププレート
１２              ポール
１３ａ、１３ｂ、１３ｃ      磁気空隙
１４              貫通孔
１５ａ、１５ｂ    マグネット
１６ａ、１６ｂ    内部空間
【図１】
2013021565.tif 000003
【図２】
2013021565.tif 000004
【図３】
2013021565.tif 000005
【図４】
2013021565.tif 000006
【図５】
2013021565.tif 000007
【図６】
2013021565.tif 000008
【図７】
2013021565.tif 000009
【図８】
2013021565.tif 000010